(57)【要約】【課題】記憶部に記憶された多数のコンテンツデータの中から所望のコンテンツデータを効率的に選択する方法を提案する。【解決手段】コンテンツデータを記憶する記憶部と、複数の異なる態様のユーザ操作のうちの一のユーザ操作が入力される入力部と、各々異なるアクセス経路で前記記憶部に記憶された前記コンテンツデータにアクセスして、前記コンテンツデータを処理する複数の処理部と、を備え、前記複数の処理部のうちの、前記入力部に入力された前記一のユーザ操作に応じた一の処理部が、前記コンテンツデータにアクセスする、情報処理装置。【選択図】図４
2013021588.tif 000002
【特許請求の範囲】
【請求項１】
コンテンツデータを記憶する記憶部と、
複数の異なる態様のユーザ操作のうちの一のユーザ操作が入力される入力部と、
各々異なるアクセス経路で前記記憶部に記憶された前記コンテンツデータにアクセスして、前記コンテンツデータを処理する複数の処理部と、
を備え、
前記複数の処理部のうちの、前記入力部に入力された前記一のユーザ操作に対応した一の処理部が、前記コンテンツデータにアクセスして処理する、情報処理装置。
【請求項２】
前記複数の処理部は、前記処理部がアクセス可能な前記コンテンツデータのリストを表示部に表示させる、請求項１に記載の情報処理装置。
【請求項３】
前記情報処理装置は、外部コンテンツデータを記憶する外部機器と通信可能な通信部を更に備え、
少なくとも一つの前記処理部は、
前記通信部を介して前記外部コンテンツデータにアクセス可能であり、
前記処理部がアクセス可能な、前記記憶部に記憶されたコンテンツデータ、及び前記外部機器に記憶された外部コンテンツデータのリストを、前記表示部に表示させる、請求項２に記載の情報処理装置。
【請求項４】
前記情報処理装置は、外部コンテンツデータを記憶する外部機器に対して検索を行う検索部を更に備え、
少なくとも一つの前記処理部は、前記検索部による検索結果を表示する前記表示部に表示させる際に、前記処理部がアクセス可能な前記記憶部に記憶されたコンテンツデータを表示させる、請求項２に記載の情報処理装置。
【請求項５】
前記検索部は、キーワード検索を行い、
少なくとも一つの前記処理部は、前記検索部により一のキーワードで検索された前記外部コンテンツデータを前記表示部に表示させる際に、前記一のキーワードに対応する前記記憶部に記憶されたコンテンツデータも共に表示させる、請求項４に記載の情報処理装置。
【請求項６】
前記一のキーワードに対応する前記記憶部に記憶されたコンテンツデータは、自動録画機能で録画されたコンテンツデータである、請求項５に記載の情報処理装置。
【請求項７】
前記表示部に共に表示される前記外部コンテンツデータと前記コンテンツデータは、互いに異なるジャンルのデータである、請求項５に記載の情報処理装置。
【請求項８】
前記記憶部は、複数のコンテンツデータが連関するコンテンツデータ群を記憶し、
前記情報処理装置は、前記コンテンツデータ群中にコンテンツデータが欠落しているか否かを判定する判定部を更に備え、
前記検索部は、前記判定部によって前記欠落したコンテンツデータが存在すると判定された場合には、前記外部機器において前記欠落したコンテンツデータを検索し、
少なくとも一つの前記処理部は、前記検索部によって前記欠落したコンテンツデータが検索された場合には、前記処理部がアクセス可能な前記記憶部に記憶された前記コンテンツデータ群のリストを前記表示部に表示させる際に、前記欠落したコンテンツデータも共に表示させる、請求項４に記載の情報処理装置。
【請求項９】
ユーザ操作が入力される入力部が、複数の異なる態様のユーザ操作のうちの一のユーザ操作を受け付けることと、
各々異なるアクセス経路で記憶部に記憶されたコンテンツデータにアクセスして、前記コンテンツデータを処理する複数の処理部のうちの、前記入力部が受け付けた前記一のユーザ操作に対応した一の処理部が、前記コンテンツデータにアクセスして処理することと、
を含む、情報処理方法。
【請求項１０】
コンピュータに、
ユーザ操作が入力される入力部が、複数の異なる態様のユーザ操作のうちの一のユーザ操作を受け付けることと、
各々異なるアクセス経路で記憶部に記憶されたコンテンツデータにアクセスして、前記コンテンツデータを処理する複数の処理部のうちの、前記入力部が受け付けた前記一のユーザ操作に対応した一の処理部が、前記コンテンツデータにアクセスして処理することと、
を実行させるためのプログラム。
【発明の詳細な説明】
【技術分野】
【０００１】
本開示は、情報処理装置、情報処理方法、及びプログラムに関する。
【背景技術】
【０００２】
映像等のコンテンツデータを録画して記憶部に記憶し、記憶された録画済みのコンテンツデータを再生する録画再生装置が利用されている。近年、記憶部であるハードディスクドライブの大容量化に伴い、記憶部に記憶されるコンテンツデータの数が増えている。
【０００３】
一般的に、コンテンツデータの数が増えるに従って、ユーザが記憶部に記憶された複数のコンテンツデータから所望のコンテツデータを選択するまでの操作も増えることになる。そこで、所望のコンテンツデータをユーザが簡単に検索できる手法が提案されている（特許文献１参照）。
【先行技術文献】
【特許文献】
【０００４】
【特許文献１】特開２０１１−２３７８１号公報
【発明の概要】
【発明が解決しようとする課題】
【０００５】
上記の特許文献１に記載された技術では、ユーザは予め決められた単一のユーザ操作のみによって、コンテンツデータを検索して選択することになる。しかし、単一のユーザ操作のみでは、多数のコンテンツデータが記憶されている場合に、一部のコンテンツデータを選択するまでのユーザの操作数が増えてしまう。例えば、多数のコンテンツデータが多階層に亘って記憶されている場合には、階層深くに記憶されているコンテンツデータを選択するためのユーザの操作数が増えてしまう。
【０００６】
そこで、本開示は、記憶部に記憶された多数のコンテンツデータの中から所望のコンテンツデータを効率的に選択する方法を提案する。
【課題を解決するための手段】
【０００７】
本開示によれば、コンテンツデータを記憶する記憶部と、複数の異なる態様のユーザ操作のうちの一のユーザ操作が入力される入力部と、各々異なるアクセス経路で前記記憶部に記憶された前記コンテンツデータにアクセスして、前記コンテンツデータを処理する複数の処理部と、を備え、前記複数の処理部のうちの、前記入力部に入力された前記一のユーザ操作に対応した一の処理部が、前記コンテンツデータにアクセスして処理する、情報処理装置が提供される。
【０００８】
また、本開示によれば、ユーザ操作が入力される入力部が、複数の異なる態様のユーザ操作のうちの一のユーザ操作を受け付けることと、各々異なるアクセス経路で記憶部に記憶されたコンテンツデータにアクセスして、前記コンテンツデータを処理する複数の処理部のうちの、前記入力部が受け付けた前記一のユーザ操作に対応した一の処理部が、前記コンテンツデータにアクセスして処理することと、を含む、情報処理方法が提供される。
【０００９】
また、本開示によれば、コンピュータに、ユーザ操作が入力される入力部が、複数の異なる態様のユーザ操作のうちの一のユーザ操作を受け付けることと、各々異なるアクセス経路で記憶部に記憶されたコンテンツデータにアクセスして、前記コンテンツデータを処理する複数の処理部のうちの、前記入力部が受け付けた前記一のユーザ操作に対応した一の処理部が、前記コンテンツデータにアクセスして処理することと、を実行させるためのプログラムが提供される。
【００１０】
そして、本開示によれば、前記入力部が受け付けた前記一のユーザ操作に応じた一の処理部が、前記コンテンツデータにアクセスして処理することにより、コンテンツデータ毎に異なるアクセス経路でコンテンツデータを検索可能となる。このため、コンテンツデータに応じて選択までの処理数が少ない処理部をユーザが選択することで、所望のコンテンツデータを効率的に選択できる。
【発明の効果】
【００１１】
以上説明したように本開示によれば、記憶部に記憶された多数のコンテンツデータの中から所望のコンテンツデータを効率的に選択することが可能となる。
【図面の簡単な説明】
【００１２】
【図１】第１の実施形態に係る録画再生システムの構成を示す図である。
【図２】録画再生装置のハードウェア構成を示すブロック図である。
【図３】第１の実施形態に係るコンテンツデータの再生方法を説明するための図である。
【図４】録画再生装置の構成を示す機能ブロック図である。
【図５】第１の実施形態に係る録画再生装置の動作を示すフローチャートである。
【図６】録画アプリのコンテンツリストから再生する方法を示すフローチャートである。
【図７】リモート・コントローラのダイレクトキーでリストを表示して再生する方法を示すフローチャートである。
【図８】キーワードでコンテンツを検索して再生する方法を示すフローチャートである。
【図９】モバイル端末から再生する方法を示すフローチャートである。
【図１０】第２の実施形態に係る録画再生システムの構成を示す図である。
【図１１】第２の実施形態に係る録画再生装置の動作を示すフローチャートである。
【図１２】第３の実施形態に係る録画再生装置の構成を示す図である。
【図１３】第３の実施形態に係るコンテンツリスト画面を示す図である。
【図１４】第４の実施形態に係るキーワード検索の検索結果画面を示す図である。
【発明を実施するための形態】
【００１３】
以下に添付図面を参照しながら、本開示の好適な実施の形態について詳細に説明する。なお、本明細書及び図面において、実質的に同一の機能構成を有する構成要素については、同一の符号を付することにより重複説明を省略する。
【００１４】
なお、説明は以下の順序で行うものとする。
１．第１の実施形態
１−１．録画再生システムの概要
１−２．録画再生装置のハードウェア構成
１−３．コンテンツデータの再生方法
１−４．録画再生装置の機能構成
１−５．録画再生装置の動作
２．第２の実施形態
３．第３の実施形態
４．第４の実施形態
５．まとめ
【００１５】
＜１．第１の実施形態＞
（１−１．録画再生システムの概要）
【００１６】
図１を参照しながら、第１の実施形態に係るコンテンツの録画再生システム１０の概要について説明する。図１は、第１の実施形態に係る録画再生システム１０の構成を示す図である。
【００１７】
録画再生システム１０は、映像等のコンテンツを録画すると共に、コンテンツを再生するシステムである。図１に示すように、録画再生システム１０は、情報処理装置の一例である録画再生装置１００と、リモート・コントローラ２００と、モバイル端末３００と、を有する。
【００１８】
録画再生装置１００は、映像等を再生するためのテレビ装置等である。録画再生装置１００は、映像を録画する機能を有し、録画された映像の再生も可能である。録画再生装置１００は、リモート・コントローラ２００から受信した操作信号に応じて、映像を再生する。録画再生装置１００は、例えばメニュー画面を表示し、リモート・コントローラ２００からメニュー画面に対する操作信号を受信する。本実施形態の録画再生装置１００は、リモート・コントローラ２００だけでなく、モバイル端末３００からの操作信号に応じて、映像を再生可能である。
【００１９】
リモート・コントローラ２００は、ユーザが録画再生装置１００を遠隔操作するための装置である。リモート・コントローラ２００は、ユーザによる遠隔操作を受け付けるボタンやキー等の操作部を有する。リモート・コントローラ２００は、例えば赤外線通信等で録画再生装置１００と通信を行い、ユーザによる操作に対応する操作信号を録画再生装置１００に送信する。
【００２０】
モバイル端末３００は、ユーザによって使用される携帯電話、ＰＤＡ、タブレット等の携帯端末である。モバイル端末３００は、録画再生装置１００とネットワーク経由で通信可能であり、録画再生装置１００を遠隔操作する機能を有する。モバイル端末３００も、ユーザによる遠隔操作を受け付けるボタンやキー等の操作部を有する。
【００２１】
このように、録画再生システム１０において、ユーザは、リモート・コントローラ２００又はモバイル端末３００により録画再生装置１００を遠隔操作して、映像を再生可能である。
【００２２】
なお、図１には図示されていないが、録画再生装置１００は、コンテンツデータを記憶する外部サーバや外部機器と通信可能である。録画再生装置１００は、外部サーバや外部機器に記憶されたコンテンツデータを受信して、再生することも可能である。
【００２３】
（１−２．録画再生装置のハードウェア構成）
図２を参照しながら、録画再生装置１００の詳細構成について説明する。図２は、録画再生装置１００のハードウェア構成を示すブロック図である。
【００２４】
図２に示すように、録画再生装置１００は、放送受信部１１０と、外部接続部１１２と、ユーザ入力部１１４と、通信部１１６と、信号処理部１２０と、記憶部１２２と、制御部１２４と、音声出力部１３０と、表示部１３２と、を有する。
【００２５】
放送受信部１１０は、チューナを介してテレビ放送信号を受信する。放送受信部１１０は、受信したテレビ放送信号を、信号処理部１２０に送る。
【００２６】
外部接続部１１２は、ＨＤＭＩ（High-Definition  Multimedia  Interface）やＵＳＢ（Universal  Serial  Bus）接続を行うインターフェースである。外部接続部１１２は、外部接続を監視し、接続先のＵＳＢ機器等の外部機器内に記憶されているコンテンツデータやコンテンツのメタデータを受信する。外部接続部１１２は、受信したデータを信号処理部１２０に送る。
【００２７】
ユーザ入力部１１４には、ユーザ操作に対応した操作信号が入力される。例えば、ユーザ入力部１１４には、録画再生装置１００に設けられた操作ボタンをユーザが操作した際に、操作信号が入力される。また、ユーザ入力部１１４には、リモート・コントローラ２００でユーザが遠隔操作した際に、操作信号が入力される。このように、ユーザ入力部１１４には、複数の異なる態様のユーザ操作のうちの一のユーザ操作が入力される。ユーザ入力部１１４は、入力された操作信号を制御部１２４に送る。
【００２８】
通信部１１６は、ネットワーク経由で接続されたモバイル端末３００と通信を行う。通信部１１６は、モバイル端末３００へのコンテンツリストを送信する送信部と、モバイル端末３００から操作信号を受信する受信部としての機能を有する。また、通信部１１６は、ネットワーク経由で、コンテンツデータを記憶する外部サーバ（外部機器）と通信も行う。通信部２３２は、有線又は無線ＬＡＮ、Ｂｌｕｅｔｏｏｔｈ用の通信カード、通信用ルータ、通信用モデム等の通信装置により構成される。
【００２９】
信号処理部１２０は、放送受信部１１０や外部接続部１１２からの信号やデータを処理する。例えば、信号処理部１２０は、コンテンツデータから映像情報、音声情報を抽出し、デジタル放送における番組情報を解析する処理を行う。信号処理部１２０は、映像情報、音声情報、及び番組情報を、記憶部１２２に送る。
【００３０】
記憶部１２２は、制御部１２４により使用される各種情報を記憶する機能を有する。記憶部１２２は、コンテンツデータを記憶する。例えば、記憶部１２２は、制御部１２４により録画されたコンテンツデータを記憶する。記憶部１２２は、信号処理部１２０からの映像情報、音声情報、及び番組情報を記憶する。記憶部１２２は、磁気記憶デバイス、半導体記憶デバイス、光記憶デバイス等のストレージ装置により構成される。
【００３１】
制御部１２４は、録画再生装置１００の動作全体を制御する機能を有している。例えば、制御部１２４は、映像情報や音声情報の出力制御、録画処理、外部機器との通信処理、ユーザインターフェースの表示制御等を行う。また、制御部１２４は、記憶部１２２に記憶されているコンテンツデータの検索も行う。制御部１２４は、ＣＰＵ、ＲＯＭ、ＲＡＭにより構成される。
【００３２】
音声出力部１３０は、記憶部１２２に記憶された音声情報を受けて、音声を出力する。音声出力部１３０は、例えばスピーカにより構成される。
【００３３】
表示部１３２は、記憶部１２２に記憶された映像情報を受けて、映像を表示する。表示部１３２は、メニュー画面等のユーザインターフェース表示も行う。表示部１３２は、液晶ディスプレイ、プラズマディスプレイ、有機ＥＬディスプレイ等の表示装置により構成される。
【００３４】
（１−３．コンテンツデータの再生方法）
図３を参照しながら、第１の実施形態に係るコンテンツデータの再生方法について説明する。図３は、第１の実施形態に係るコンテンツデータの再生方法を説明するための図である。
【００３５】
本実施形態の録画再生装置１００は、ユーザの操作に応じて、４つの再生方法の中から一つを選択してコンテンツを再生する。４つの再生方法は、録画アプリのコンテンツリストから再生する方法と、リモート・コントローラ２００のダイレクトキーでリストを表示して再生する方法と、キーワードでコンテンツを検索して再生する方法と、モバイル端末３００から再生する方法とである。以下においては、４つの再生方法について具体的に説明する。
【００３６】
（録画アプリのコンテンツリストから再生する方法）
録画アプリのコンテツリストから再生する方法では、録画アプリのメニュー画面４１０が表示されたところから開始される。録画アプリのメニュー画面４１０は、コンテンツの録画に関する機能の項目を表示する画面である。
【００３７】
メニュー画面４１０の項目として、録画済みコンテンツリスト４１１と、録画予約リスト４１２と、新規録画予約４１３とがある。ユーザが録画済みコンテンツリスト４１１を選択すると、録画再生装置１００は、録画済みコンテンツリストを表示する画面に切り替える。ユーザが録画予約リスト４１２を選択すると、録画再生装置１００は、録画予約のリストを表示する画面に切り替える。ユーザが新規録画予約４１３を選択すると、録画再生装置１００は、新規録画予約を行うための画面に切り替える。
【００３８】
ここでは、ユーザが録画済みコンテンツリスト４１１を選択したものとする。すると、録画再生装置１００は、メニュー画面４１０から録画済みコンテンツリスト画面４２０に切り替える。録画済みコンテンツリスト画面４２０は、録画済みのコンテンツＡ〜Ｄのリストを表示する。ユーザは、リスト上のコンテンツに対して再生、編集、削除などの処理の選択を行うことができる。例えば、ユーザがリストの中から任意のコンテンツを選択すると、録画再生装置１００は、再生画面４５０に切り替え、選択されたコンテンツを再生する。
【００３９】
上述した録画アプリのコンテンツリストから再生する方法は、録画済みコンテンツの再生に関連性が高い機能（例えば、新規録画予約の作成や予約リストの編集等）を集約するアプリケーションがある場合に有効である。このように関連性が高い機能を連続して使用する中で、ユーザが所望するコンテンツを直ぐに再生することができる。
【００４０】
（リモート・コントローラのダイレクトキーでリストを表示して再生する方法）
リモート・コントローラ２００のダイレクトキーでリストを表示して再生する方法では、ユーザがリモート・コントローラ２００のダイレクトキーを押すことで開始される。ここで、ダイレクトキーは、録画再生装置１００がどのような画面を表示していても、録画済みコンテンツリスト画面４２０に強制的に表示を切り替えるためのキーである。
【００４１】
ユーザがダイレクトキーを押すと、録画再生装置１００は、録画再生装置１００が再生に関係無い画面を表示していても、録画済みコンテンツリスト画面４２０を強制的に表示する。そして、ユーザが、コンテンツリスト画面４２０のリストの中から任意のコンテンツを選択すると、録画再生装置１００は、再生画面４５０に切り替え、選択されたコンテンツを再生する。
【００４２】
上述したリモート・コントローラ２００のダイレクトキーでリストを表示して再生する方法では、録画再生装置１００がどのような画面を表示していても、コンテンツリストを表示するまでの操作が１ステップのみである。このため、コンテンツを再生するためのユーザの操作数を減らすことができる。
【００４３】
（キーワードでコンテンツを検索して再生する方法）
キーワードでコンテンツを検索して再生する方法では、ユーザが検索画面でキーワードを入力するところから開始される。ユーザがキーワードを入力すると、録画再生装置１００は、記憶部１２２に記憶された全てのコンテンツデータの中から、入力されたキーワードに関連するコンテンツデータを抽出し、検索結果画面４３０に抽出したコンテンツを表示する。
【００４４】
検索結果画面４３０は、ユーザが入力したキーワードに関連するコンテンツを検索して表示する画面である。検索結果画面４３０には、抽出された録画済みコンテンツＡ〜Ｃがリスト表示されている。そして、ユーザが、検索結果画面４３０のリストの中から任意のコンテンツを選択すると、録画再生装置１００は、再生画面４５０に切り替え、選択されたコンテンツを再生する。
【００４５】
上述したキーワードでコンテンツを検索して再生する方法は、コンテンツデータに対応付けられたメタ情報が存在し、コンテンツを検索する手がかりとなるキーワードをユーザが知っている場合に有効である。また、コンテンツデータの量が膨大で、コンテンツが階層構造になっている場合には、キーワード入力により、ユーザの操作数を抑えて所望のコンテンツを再生できる。
【００４６】
例えば、視聴したいコンテンツが決まっている場合には、キーワードで検索して視聴するコンテンツを見つけることができる。具体的に視聴したいコンテンツは決まっていないが何らかのコンテンツを視聴したい場合には、コンテンツリストからコンテンツを選択することができる。上述した方法によれば、ユーザの目的に応じて視聴するコンテンツを効率的に選択することができる。
【００４７】
（モバイル端末から再生する方法）
モバイル端末３００から再生する方法では、モバイル端末３００が、録画再生装置１００に記憶されているコンテンツデータのリストを取得するところから開始される。モバイル端末３００は、モバイル端末３００の表示部に、取得したリストに対応するコンテンツリスト画面４４０を表示する。
【００４８】
コンテンツリスト画面４４０には、録画再生装置１００が再生可能なコンテンツＡ〜Ｄが表示されている。そして、ユーザが、コンテンツリスト画面４４０のコンテンツリストの中から任意のコンテンツを選択すると、モバイル端末３００は選択信号を録画再生装置１００に送信し、録画再生装置１００は、選択信号を受けて、再生画面４５０に切り替え、選択されたコンテンツを再生する。
【００４９】
上述したモバイル端末３００から再生する方法は、録画再生装置１００に選択画面を表示する必要が無いので、録画再生装置１００の表示画面に依存せずコンテンツを選択することができる。また、コンテンツ再生後もモバイル端末３００にコンテンツリストを表示しておくことができるので、モバイル端末３００でリストのコンテンツを視聴して所望のコンテンツを見つける操作も可能となる。
【００５０】
また、録画再生装置１００がモバイル端末３００と連携することで、再生を行う機器（録画再生装置１００）と再生するコンテンツを選ぶ機器（モバイル端末３００）を分離することができる。これにより、コンテンツを再生しながら次に再生するコンテンツを選ぶことができる。
【００５１】
上述したように、４つの再生方法は、コンテンツを再生するまでのコンテンツに対するアクセス経路がそれぞれ異なる。そして、録画再生装置１００が、ユーザの操作に応じて、４つの再生方法の中から一つの再生方法を選択することで、ユーザの目的や環境に応じて最も適したアクセス経路を選択することができ、効率的にコンテンツに対する再生を行うことが可能となる。
【００５２】
（１−４．録画再生装置の機能構成）
図４を参照しながら、録画再生装置１００の機能構成について説明する。図４は、録画再生装置１００の構成を示す機能ブロック図である。
【００５３】
図４に示すように、録画再生装置１００は、通信制御部６１０と、自動録画部６１２と、検索部６１４と、表示制御部６１６と、入力制御部６１８と、コンテンツ処理部６２０と、を有する。
【００５４】
通信制御部６１０は、通信部１１６（図２）を制御する。通信部制御部６１０は、通信部１１６に外部機器５００からコンテンツデータを受信させる。また、通信制御部６１０は、通信部１１６に、モバイル端末３００へコンテンツのリストを送信させ、モバイル端末３００から送られた制御信号（コンテンツの再生を行う制御信号）を受信させる。
【００５５】
自動録画部６１２は、自動でコンテンツを録画する機能を有する。自動録画部６１２で自動録画されたコンテンツデータは、記憶部１２２に記憶される。
【００５６】
検索部６１４は、記憶部１２２に記憶されたコンテンツデータの検索を行う。検索部６１４は、コンテンツ処理部６１６からの検索クリエに基づいて、コンテンツデータの検索を行いうる。検索部６１４は、様々な検索方法でコンテンツデータの検索を行う。例えば、検索部６１４は、キーワード検索（検索方法（１））やジャンル検索（検索方法（２））等を行う。なお、検索部６１４は、外部機器５００に記憶されているコンテンツデータも検索しうる。
【００５７】
表示制御部６１６は、表示部１３２（図２）を制御して、ユーザインターフェース表示や、録画されたコンテンツの再生を行う。例えば、表示制御部６１６は、コンテンツ処理部６２０からの命令に応じて、コンテンツのリストを表示部１３２に表示させる。
【００５８】
入力制御部６１８は、ユーザ入力部１１４（図２）に入力されたユーザ操作を、コンテンツ処理部６２０に送る。
【００５９】
コンテンツ処理部６２０は、コンテンツデータに対する処理を行うアプリケーションの集合である。コンテンツ処理部６２０は、複数の処理部６２１〜６２４を有し、各処理部６２１〜６２４が独立したアプリケーションである。各処理部６２１〜６２４は、各々異なるアクセス経路で記憶部１２２に記憶されたコンテンツデータにアクセスして、コンテンツデータを処理する。例えば、処理部６２１は、上述した録画アプリのコンテンツリストから再生する方法に対応する処理を行い、処理部６２２は、リモート・コントローラのダイレクトキーでリストを表示して再生する方法に対応する処理を行う。また、処理部６２３は、キーワードでコンテンツを検索して再生する方法に対応する処理を行い、処理部６２４は、モバイル端末３００から再生する方法に対応する処理を行う。
【００６０】
各処理部６２１〜６２４は、入力制御部６１８からのユーザ操作を受け、検索部６１４に検索クリエを送る。そして、各処理部６２１〜６２４は、検索部６１４による検索結果を受けて、コンテンツの再生等の処理を行う。
【００６１】
複数の処理部６２１〜６２４のうちの、ユーザ入力部１１４に入力された一のユーザ操作に応じた一の処理部が、コンテンツデータにアクセスして処理する。すなわち、ユーザ入力部１１４が受け付けた一のユーザ操作に応じた一の処理部が、コンテンツデータにアクセスすることにより、コンテンツデータ毎に異なるアクセス経路でコンテンツデータを選択可能となる。このため、コンテンツデータに応じて選択までの処理数が少ない処理部をユーザが選択することで、所望のコンテンツデータを効率的に処理できる。
【００６２】
処理部６２１〜６２４は、処理部６２１〜６２４がアクセス可能なコンテンツデータのリストを表示部１３２に表示させる処理を行う。すなわち処理部６２１〜６２４が表示制御部６１６に処理の命令を送ることで、表示制御部６１６は、表示部１３２にコンテンツリストを表示させる。これにより、ユーザがコンテンツリストに表示されたコンテンツを選択することで、処理部６２１〜６２４は選択されたコンテンツを例えば再生処理する。
【００６３】
処理部６２１〜６２４のうちの一の処理部（ここでは、処理部６２４を例に挙げて説明する）は、通信部１１６を介して外部コンテンツデータにアクセス可能である。そして、処理部６２４は、処理部６２４がアクセス可能な、記憶部１２２に記憶されたコンテンツデータ、及び外部機器に記憶された外部コンテンツデータのリストを、表示部１３２に表示させる処理を行う。これにより、記憶部１２２に記憶されたコンテンツ、及び外部機器に記憶された外部コンテンツが同じリストに表示されるので、ユーザは、記憶部１２２と外部機器のいずれに所望のコンテンツが記憶されているか知らなくても、コンテンツを容易に選択できる。
【００６４】
表示部１３２に共に表示される外部コンテンツデータとコンテンツデータは、互いに異なるジャンルのデータであっても良い。互いに異なるジャンルのデータとは、例えば、音楽ファイル等のユーザが良く利用するコンテンツと、録画済みのコンテンツとであり、最近利用したデータである。このように最近利用した異なるジャンルのデータを表示することで、ユーザは多様なジャンルのコンテンツの中で、所望のコンテンツを選択できる。
【００６５】
処理部６２１〜６２４は、検索部６１４による検索結果を表示部１３２に表示させる際に、コンテンツ処理部６２０がアクセス可能な記憶部１２２又は外部機器に記憶されたコンテンツデータを表示させる処理を行う。これにより、検索結果を表示した際に、ユーザが検索対象として想定していなかった記憶部に記憶されたコンテンツをリストに表示させることで、ユーザが気づいていなかったコンテンツ（例えば、自動録画されたコンテンツ）を視聴する機会を得ることができる。
【００６６】
処理部６２１〜６２４は、検索部６１４により一のキーワードで検索された外部コンテンツデータを表示部１３２に表示させる際に、一のキーワードに対応する記憶部１２２に記憶されたコンテンツデータも共に表示させる処理を行う。これにより、ユーザが気づいていなかったコンテンツ（例えば、自動録画されたコンテンツ）で、一のキーワードに関連するコンテンツを、ユーザが視聴できる。
【００６７】
図４に示すように、録画再生装置１００は、コンテンツデータ等を記憶する外部機器５００と通信可能である。外部機器５００は、記憶部５０２と、検索部５０４と、通信制御部５０６と、を有する。
【００６８】
記憶部５０２は、コンテンツデータを記憶する。例えば、記憶部５０２は、コンテンツデータの映像データと、コンテンツデータのメタデータを記憶する。
【００６９】
検索部５０２は、記憶部５０２に記憶されているコンテンツデータの検索を行う。例えば、検索部５０２は、録画再生装置１００からの要求に応じて、コンテンツデータを検索する。
【００７０】
通信制御部５０６は、通信部（不図示）を制御して、録画再生装置１００とデータの送受信を行う。例えば、通信制御部５０６は、検索部５０２が検索したコンテンツデータに関する情報（メタデータや映像データ）を録画再生装置１００に送信する。
【００７１】
（１−５．コンテンツ再生処理時の録画再生装置の動作）
図５を参照しながら、コンテンツ再生処理時の録画再生装置１００の動作について説明する。図５は、第１の実施形態に係る録画再生装置１００の動作を示すフローチャートである。
【００７２】
本処理は、録画再生装置１００の制御部１２４のＣＰＵが、ＲＯＭに格納されているプログラムを実行することによって、実現される。なお、実行されるプログラムは、ＣＤ（Ｃｏｍｐａｃｔ  Ｄｉｓｋ）、ＤＶＤ（Ｄｉｇｉｔａｌ  Ｖｅｒｓａｔｉｌｅ  Ｄｉｓｋ）、メモリカード等の記録媒体に記憶されても良く、インターネットを介してサーバ等からダウンロードされても良い。
【００７３】
まず、制御部１２４は、ユーザ操作を検出する（ステップＳ１０２）。例えば、制御部１２４は、ユーザ操作として、メニュー画面を起動する操作、ダイレクトキーを押下する操作、検索画面を起動する操作、モバイル端末３００と通信を行う操作を検出する。
【００７４】
次に、制御部１２４は、検出されたユーザ操作に対応したコンテンツ再生処理を実行する（ステップＳ１０４〜Ｓ１１８）。コンテンツ再生処理は、上述した４つの再生方法に対応する処理である。このため、制御部１２４は、ユーザ操作に応じて、４つの再生処理のうちのいずれか１つの再生処理を実行する。
【００７５】
制御部１２４は、ユーザ操作がメニュー画面を起動する操作である場合には（ステップＳ１０４：Ｙｅｓ）、図６に示す第１のコンテンツ再生処理を実行する（ステップＳ１１２）。
【００７６】
制御部１２４は、ユーザ操作がダイレクトキーを押下する操作である場合には（ステップＳ１０６：Ｙｅｓ）、図７に示す第２のコンテンツ再生処理を実行する（ステップＳ１１４）。
【００７７】
制御部１２４は、ユーザ操作が検索画面を起動する操作である場合には（ステップＳ１０８：Ｙｅｓ）、図８に示す第３のコンテンツ再生処理を実行する（ステップＳ１１６）。
【００７８】
制御部１２４は、ユーザ操作がモバイル端末２００にコンテンツリストを送信する操作である場合には（ステップＳ１１０：Ｙｅｓ）、図９に示す第４のコンテンツ再生処理を実行する（ステップＳ１１８）。
【００７９】
図６は、第１のコンテンツ再生処理である録画アプリのコンテンツリストから再生する処理を示すフローチャートである。図６のフローチャートでは、まず、制御部１２４は、ユーザによるメニュー画面を起動する操作に応じて、メニュー画面４１０（図３）を表示する（ステップＳ２０２）。
【００８０】
次に、制御部１２４は、メニュー画面４１０の中からユーザが録画済みコンテンツリストを選択したことを検出した場合には（ステップＳ２０４：Ｙｅｓ）、録画済みコンテンツリスト画面４２０（図３）を表示する（ステップＳ２０６）。
【００８１】
次に、制御部１２４は、コンテンツリストの中からユーザがコンテンツを選択したことを検出した場合には（ステップＳ２０８：Ｙｅｓ）、選択されたコンテンツを再生画面４５０（図３）で再生する（ステップＳ２１０）。そして、再生が終了すると、図５にフローチャートに戻り、録画再生装置１００の動作が終了する。
【００８２】
図７は、第２のコンテンツ再生処理であるリモート・コントローラのダイレクトキーでリストを表示して再生する処理を示すフローチャートである。図７のフローチャートでは、まず、制御部１２４は、ユーザによるダイレクトキーを押下する操作に応じて、録画済みコンテンツリスト画面４２０（図３）を表示する（ステップＳ３０２）。
【００８３】
次に、制御部１２４は、コンテンツリストの中からユーザがコンテンツを選択したことを検出した場合には（ステップＳ３０４：Ｙｅｓ）、選択されたコンテンツを再生画面４５０（図３）で再生する（ステップＳ３０６）。そして、再生が終了すると、図５にフローチャートに戻り、録画再生装置１００の動作が終了する。
【００８４】
図８は、第３のコンテンツ再生処理であるキーワードでコンテンツを検索して再生する処理を示すフローチャートである。図８のフローチャートでは、まず、制御部１２４は、ユーザによる検索画面を起動する操作に応じて、検索画面を表示する（ステップＳ４０２）。
【００８５】
次に、制御部１２４は、検索画面でユーザがキーワードを入力したことを検出した場合には（ステップＳ４０４：Ｙｅｓ）、入力されたキーワードに対応した検索結果画面４３０を表示する（ステップＳ４０６）。例えば、制御部１２４は、全てのコンテンツの中からキーワードに対応したコンテンツを抽出して、検索結果画面４３０に表示する。
【００８６】
次に、制御部１２４は、検索結果画面の中でユーザがコンテンツを選択したことを検出した場合には（ステップＳ４０８：Ｙｅｓ）、選択されたコンテンツを再生画面４５０（図３）で再生する（ステップＳ４１０）。そして、再生が終了すると、図５にフローチャートに戻り、録画再生装置１００の動作が終了する。
【００８７】
図９は、第４のコンテンツ再生処理であるモバイル端末３００から再生する処理を示すフローチャートである。図９のフローチャートでは、まず、制御部１２４は、ユーザによるモバイル端末３００にコンテンツリストを送信する操作に応じて、コンテンツリストをモバイル端末３００に送信する（ステップＳ５０２）。
【００８８】
モバイル端末３００は、コンテンツリストを受信して、コンテンツリスト画面４４０（図３）を表示する。モバイル端末３００は、コンテンツリスト画面４４０でユーザがコンテンツを選択すると、選択した情報を録画再生装置１００に送信する。
【００８９】
次に、制御部１２４は、モバイル３００から受信した情報に基づいて、コンテンツリストの中からユーザがコンテンツを選択したことを検出した場合には（ステップＳ５０４：Ｙｅｓ）、選択されたコンテンツを再生画面４５０（図３）で再生する（ステップＳ５０６）。そして、再生が終了すると、図５にフローチャートに戻り、録画再生装置１００の動作が終了する。
【００９０】
第１の実施形態によれば、ユーザ入力部１１４が受け付けた一のユーザ操作に応じた一の処理部が、コンテンツデータにアクセスすることにより、コンテンツデータ毎に異なるアクセス経路でコンテンツデータを検索可能となる。すなわち、ユーザの目的や環境に応じて最も適したアクセス経路を選択することができ、効率的にコンテンツに対する処理を行うことが可能となる。このため、コンテンツデータに応じて選択までの処理数が少ない処理部をユーザが選択することで、所望のコンテンツデータを効率的に選択できる。
【００９１】
また、第１の実施形態によれば、コンテンツリストに、記憶部１２２に記憶されたコンテンツ及び外部機器（外部サーバ等）に記憶されたコンテンツの両方を表示させるので、記憶部１２２と外部機器のいずれに所望のコンテンツが記憶されているか知らなくても、コンテンツを容易に選択できる。
【００９２】
＜２．第２の実施形態＞
第２の実施形態においては、複数の外部機器に記憶されているコンテンツを集約して一覧表示して再生される。
【００９３】
図１０を参照しながら、第２の実施形態に係る録画再生システム１０の概略構成について説明する。図１０は、第２の実施形態に係る録画再生システム１０の概略構成を示す図である。
【００９４】
図１０に示すように、第２実施形態の録画再生システム１００は、録画再生装置１００と、録画再生装置１００と通信可能な外部機器である録画装置５１０及び録画装置５２０とを有する。なお、第２実施形態に係る録画再生装置１００の下記に説明する構成以外の構成については、第１実施形態に係る録画再生装置１００の構成と同様であるので、詳細な説明は省く。
【００９５】
ここで、録画再生装置１００の記憶部１２２はコンテンツＡとコンテンツＤを記憶し、録画装置５１０の記憶部５１２はコンテンツＢを記憶し、録画装置５２０の記憶部５２２はコンテンツＣを記憶しているものとする。そして、録画再生装置１００は、コンテンツＡ、Ｄの再生だけでなく、録画装置５１０、５２０からコンテンツＢ、Ｃのメタデータ及び映像データを受信し、コンテンツＢ、Ｃを再生することも可能である。
【００９６】
例えばユーザが再生したいコンテンツリストを表示する操作を行った際に、録画再生装置１００は、録画装置５１０、５２０に記憶されているコンテンツＢ、Ｃを集約して、コンテンツリスト画面にコンテンツＡ〜Ｄをリスト表示する。そして、ユーザがリストの中から任意のコンテンツを選択すると、録画再生装置１００は、再生画面に切り替え、選択されたコンテンツを再生する。
【００９７】
図１１を参照しながら、第２の実施形態に係る録画再生装置１００のコンテンツ再生処理時の動作について説明する。図１１は、第２の実施形態に係る録画再生装置１００の動作を示すフローチャートである。録画再生装置１００は、図１１のフローチャートに係る処理を、例えば図６のフローチャートに係る処理の代わりに実行する。
【００９８】
図１１のフローチャートでは、まず、制御部１２４は、ユーザによるメニュー画面を起動する操作に応じて、メニュー画面４１０を表示する（ステップＳ６０２）。
【００９９】
次に、制御部１２４は、メニュー画面４１０の中からユーザが録画済みコンテンツリストを選択したことを検出した場合には（ステップＳ６０４：Ｙｅｓ）、録画装置５１０、５２０からコンテンツ（コンテンツＢ、Ｃ）のメタデータを受信する（ステップ６０６）。そして、制御部１２４は、録画済みコンテンツリスト画面に、コンテンツＡ〜Ｄを表示する（ステップＳ６０８）。すなわち、制御部１２４は、複数の装置のコンテンツを集約して、コンテンツを一覧表示する。
【０１００】
次に、制御部１２４は、コンテンツリストの中からユーザがコンテンツを選択したことを検出した場合には（ステップＳ６１０：Ｙｅｓ）、選択されたコンテンツを再生画面４５０（図３）で再生する（ステップＳ６１２）。例えば、コンテンツＢが選択された場合には、制御部１２４は、録画装置５１０からコンテンツＢの映像データを取得して再生する。なお、コンテンツＢの映像データは、ステップＳ６０８で予め取得されても良い。
【０１０１】
第２の実施形態によれば、複数の録画装置５１０、５２０に記憶されたコンテンツを集約して管理することが可能となる。また、ユーザが特別な操作をしなくても複数の機器のコンテンツが一覧表示されるので、ユーザは、コンテンツがどの機器に記憶されているかを知らなくても、コンテンツを容易に再生することが可能となる。
【０１０２】
なお、上記では、図１１のフローチャートに係る処理を、図６のフローチャートに係る処理の代わりに実行することとしたが、例えば、図７〜図９のフローチャートに係る処理の代わりに実行しても良い。また、図６〜図９に係る処理と共に、図１１に係る処理を実行しても良い。
【０１０３】
＜３．第３の実施形態＞
第３の実施形態においては、録画再生装置１００は、シリーズ物のコンテンツの一部が録画されていない場合でも、録画されていない部分がインターネット上に存在する場合には、録画されていない部分をリストに加えて表示する。
【０１０４】
図１２を参照しながら、第３の実施形態について説明する。図１２は、第３の実施形態に係る録画再生装置１００の構成を示す図である。第３の実施形態に係る録画再生装置１００の記憶部１２２は、複数のコンテンツデータが連関するコンテンツデータ群（シリーズ物のコンテツ）を記憶可能である。
【０１０５】
ここで、図１２に示す録画再生装置１００は、シリーズ物のコンテンツ（ゴゴゴの女房）の一話〜四話のうち一話、二話、及び四話を録画し、三話を録画しなかったものとする。このため、記憶部１２２は、一話、二話、及び四話を記憶している。一方で、ネットワーク上には録画済みのゴゴゴの女房の一話〜四話が存在するものとする。
【０１０６】
例えばユーザがゴゴゴの女房の録画済みのリストを表示する操作を行った際に、録画再生装置１００の検索部６１４は、一話〜四話のうち三話が録画されず、欠落していると判定する。第３の実施形態では、検索部６１４が判定部の機能を有する。検索部６１４は、欠落したコンテンツが存在すると判定した場合には、ネットワーク（外部サーバ）上で欠落している三話が存在するかを検索する。ネットワーク上に三話が存在すれば、録画再生装置１００は、図１３に示すコンテンツリスト画面４７０を表示する。すなわち、録画再生装置１００のコンテンツ処理部６２０は、記憶部１２２に記憶されたコンテンツの一話、二話、及び四話を表示させる際に、欠落した三話も共に表示させる処理を行う。
【０１０７】
図１３は、第３の実施形態に係るコンテンツリスト画面４７０を示す図である。コンテンツリスト画面４７０には、録画再生装置１００の録画済みの一話、二話、及び四話と、ネットワーク上に存在する三話のリストが表示されている。そして、ユーザがコンテンツリストの中から任意のコンテンツを選択すると、録画再生装置１００は、再生画面に切り替え、選択されたコンテンツを再生する。例えば、ユーザが第三話を選択すると、録画再生装置１００は、ネットワーク上から三話のデータをダウンロードして、再生画面にて再生する。
【０１０８】
第３の実施形態によれば、ユーザは、仮にシリーズ物のコンテンツの一部を録画し忘れたことを知らなくても、録画し忘れた一部がネットワーク上に存在すれば、録画済みのコンテンツを再生するときと同じ操作で、録画し忘れた一部を再生することができる。
【０１０９】
＜４．第４の実施形態＞
第４の実施形態においては、ユーザが存在を知らない自動録画機能で録画されたコンテンツ（図４の自動録画部６１２で録画されたコンテンツ）が、キーワード検索の検索結果画面に表示される。
【０１１０】
図１４を参照しながら、第４の実施形態について説明する。図１４は、第４の実施形態に係るキーワード検索の検索結果画面４８０を示す図である。
【０１１１】
図１４には、ユーザが特定のキーワード（例えば、サッカー）で検索した際に、キーワードに対応したコンテンツを示す検索結果画面４８０が示されている。キーワード検索は、録画済みコンテンツと限定せずに検索されるが、検索結果画面４８０には、自動録画機能で録画されたコンテンツ（ここでは、キーワードのサッカーに対応するコンテンツ）も含まれる。すなわち、ユーザが録画済みコンテンツを意図して検索しなくても、自動的に自動録画されたコンテンツが検索結果に含まれる。
【０１１２】
第４の実施形態によれば、ユーザは、ユーザが存在を知らない自動録画機能で録画されたコンテンツを、検索結果画面４８０で知ることができ、自動録画機能で録画されたコンテンツを再生する機会を増やすことができる。
【０１１３】
すなわち、ユーザが予約していない番組も自動で録画を行う機能を有する機器においては、録画しているとユーザが把握していないコンテンツが多く存在し、それらのコンテンツは視聴される可能性が低い。しかし、このようにインターネットブラウザ等の別アプリケーションでユーザが興味を持ったキーワードに関連する自動録画されたコンテンツを提示することで、自動録画されたコンテンツをユーザ視聴する機会を増やし、自動録画の効果を高めることができる。
【０１１４】
＜５．まとめ＞
上述した本開示では、ユーザ操作が入力されるユーザ入力部１１４が、複数の異なる態様のユーザ操作のうちの一のユーザ操作を受け付ける。そして、各々異なるアクセス経路で記憶部１２２に記憶されたコンテンツデータにアクセスして処理する複数の処理部６２１〜６２４のうちの、ユーザ入力部１１４が受け付けた一のユーザ操作に応じた一の処理部が、コンテンツデータにアクセスして処理する。
【０１１５】
このように、ユーザ入力部１１４が受け付けた一のユーザ操作に応じた一の処理部が、コンテンツデータにアクセスして処理することにより、コンテンツデータ毎に異なるアクセス経路でコンテンツデータを検索可能となる。すなわち、ユーザの目的や環境に応じて最も適したアクセス経路を選択することができ、効率的にコンテンツに対する処理を行うことが可能となる。このため、コンテンツデータに応じて選択までの処理数が少ない処理部をユーザが選択することで、所望のコンテンツデータを効率的に選択できる。すなわち、ユーザがコンテンツを選択することが容易となると共に、コンテンツに対する処理を行うまでのステップ数が短くなる。
【０１１６】
また、コンテンツリストに、記憶部１２２に記憶されたコンテンツ及び外部機器（外部サーバ等）に記憶されたコンテンツの両方を表示させるので、記憶部１２２と外部機器のいずれに所望のコンテンツが記憶されているか知らなくても、コンテンツを容易に選択できる。
【０１１７】
また、新規録画予約、予約リストの確認のような録画に関連する機能を利用している場合は、録画アプリケーションから録画済みコンテンツリストを閲覧することができる。反対に、録画とは関係ない機能を利用している場合には、ダイレクトキーを押すことで、録画済みコンテンツリストを閲覧することができる。このように現在行っている動作や表示中の画面に応じて、最も効率のよい方法でコンテンツリストを表示することができる。
【０１１８】
また、シリーズからなるコンテンツを連続して視聴したい場合には、シリーズごとにグルーピングした表示からコンテンツを再生することで、連続再生を効率的に実現できる。また、最近視聴したコンテンツにアクセスしたい場合には、最近利用したコンテンツ一覧を表示することで、すぐにコンテンツを見つけることができる。このように複数のコンテンツの管理方法を利用することにより、所望のコンテンツを検索してコンテンツに対する処理を行うまでのステップが短縮できる。
【０１１９】
以上、添付図面を参照しながら本開示の好適な実施形態について詳細に説明したが、本開示の技術的範囲はかかる例に限定されない。本開示の技術分野における通常の知識を有する者であれば、特許請求の範囲に記載された技術的思想の範疇内において、各種の変更例または修正例に想到し得ることは明らかであり、これらについても、当然に本開示の技術的範囲に属するものと了解される。
【０１２０】
また、上記において、コンテンツ処理部が処理するコンテンツとして録画済みのコンテンツを例に挙げて説明したが、これに限定されない。例えば、コンテンツ処理部は、音楽やアニメーション等の様々なコンテンツを処理しても良い。
【０１２１】
また、上記の実施形態のフローチャートに示されたステップは、記載された順序に沿って時系列的に行われる処理はもちろん、必ずしも時系列的に処理されなくとも、並列的に又は個別的に実行される処理をも含む。また時系列的に処理されるステップでも、場合によっては適宜順序を変更することが可能であることは言うまでもない。
【０１２２】
なお、以下のような構成も本開示の技術的範囲に属する。
（１）コンテンツデータを記憶する記憶部と、
複数の異なる態様のユーザ操作のうちの一のユーザ操作が入力される入力部と、
各々異なるアクセス経路で前記記憶部に記憶された前記コンテンツデータにアクセスして、前記コンテンツデータを処理する複数の処理部と、
を備え、
前記複数の処理部のうちの、前記入力部に入力された前記一のユーザ操作に対応した一の処理部が、前記コンテンツデータにアクセスして処理する、情報処理装置。
【０１２３】
（２）前記複数の処理部は、前記処理部がアクセス可能な前記コンテンツデータのリストを表示部に表示させる、前記（１）に記載の情報処理装置。
【０１２４】
（３）前記情報処理装置は、外部コンテンツデータを記憶する外部機器と通信可能な通信部を更に備え、
少なくとも一つの前記処理部は、
前記通信部を介して前記外部コンテンツデータにアクセス可能であり、
前記処理部がアクセス可能な、前記記憶部に記憶されたコンテンツデータ、及び前記外部機器に記憶された外部コンテンツデータのリストを、前記表示部に表示させる、前記（２）に記載の情報処理装置。
【０１２５】
（４）前記情報処理装置は、外部コンテンツデータを記憶する外部機器に対して検索を行う検索部を更に備え、
少なくとも一つの前記処理部は、前記検索部による検索結果を表示する前記表示部に表示させる際に、前記処理部がアクセス可能な前記記憶部に記憶されたコンテンツデータを表示させる、前記（２）又は（３）に記載の情報処理装置。
【０１２６】
（５）前記検索部は、キーワード検索を行い、
少なくとも一つの前記処理部は、前記検索部により一のキーワードで検索された前記外部コンテンツデータを前記表示部に表示させる際に、前記一のキーワードに対応する前記記憶部に記憶されたコンテンツデータも共に表示させる、前記（４）に記載の情報処理装置。
【０１２７】
（６）前記一のキーワードに対応する前記記憶部に記憶されたコンテンツデータは、自動録画機能で録画されたコンテンツデータである、前記（５）に記載の情報処理装置。
【０１２８】
（７）前記表示部に共に表示される前記外部コンテンツデータと前記コンテンツデータは、互いに異なるジャンルのデータである、前記（５）又は（６）に記載の情報処理装置。
【０１２９】
（８）前記記憶部は、複数のコンテンツデータが連関するコンテンツデータ群を記憶し、
前記情報処理装置は、前記コンテンツデータ群中にコンテンツデータが欠落しているか否かを判定する判定部を更に備え、
前記検索部は、前記判定部によって前記欠落したコンテンツデータが存在すると判定された場合には、前記外部機器において前記欠落したコンテンツデータを検索し、
少なくとも一つの前記処理部は、前記検索部によって前記欠落したコンテンツデータが検索された場合には、前記処理部がアクセス可能な前記記憶部に記憶された前記コンテンツデータ群のリストを前記表示部に表示させる際に、前記欠落したコンテンツデータも共に表示させる、前記（４）〜（７）のいずれか１項に記載の情報処理装置。
【０１３０】
（９）  ユーザ操作が入力される入力部が、複数の異なる態様のユーザ操作のうちの一のユーザ操作を受け付けることと、
各々異なるアクセス経路で記憶部に記憶されたコンテンツデータにアクセスして、前記コンテンツデータを処理する複数の処理部のうちの、前記入力部が受け付けた前記一のユーザ操作に対応した一の処理部が、前記コンテンツデータにアクセスして処理することと、
を含む、情報処理方法。
【０１３１】
（１０）コンピュータに、
ユーザ操作が入力される入力部が、複数の異なる態様のユーザ操作のうちの一のユーザ操作を受け付けることと、
各々異なるアクセス経路で記憶部に記憶されたコンテンツデータにアクセスして、前記コンテンツデータを処理する複数の処理部のうちの、前記入力部が受け付けた前記一のユーザ操作に対応した一の処理部が、前記コンテンツデータにアクセスして処理することと、
を実行させるためのプログラム。
【符号の説明】
【０１３２】
１０      録画再生システム
１００    録画再生装置
１１０    放送受信部
１１２    外部入力部
１１４    ユーザ入力部
１１６    通信部
１２０    信号処理部
１２２    記憶部
１２４    制御部
１３０    音声出力部
１３２    表示部
２００    リモート・コントローラ
３００    モバイル端末
４１０    メニュー画面
４２０    コンテンツリスト画面
４３０    検索結果画面
４４０    コンテンツリスト画面
４５０    再生画面
５００    外部機器
５１０、５２０    録画装置
６１０    通信制御部
６１２    自動録画部
６１４    検索部
６１６    表示制御部
６１８    入力制御部
６２０    コンテンツ処理部
【図１】
2013021588.tif 000003
【図２】
2013021588.tif 000004
【図３】
2013021588.tif 000005
【図４】
2013021588.tif 000006
【図５】
2013021588.tif 000007
【図６】
2013021588.tif 000008
【図７】
2013021588.tif 000009
【図８】
2013021588.tif 000010
【図９】
2013021588.tif 000011
【図１０】
2013021588.tif 000012
【図１１】
2013021588.tif 000013
【図１２】
2013021588.tif 000014
【図１３】
2013021588.tif 000015
【図１４】
2013021588.tif 000016